【手続補正書】
【提出日】平成16年9月3日(2004.9.3)
【手続補正１】
【補正対象書類名】明細書
【補正対象項目名】発明の名称
【補正方法】変更
【補正の内容】
【発明の名称】映像記録システム及び映像情報処理装置
【手続補正２】
【補正対象書類名】明細書
【補正対象項目名】特許請求の範囲
【補正方法】変更
【補正の内容】
【特許請求の範囲】
【請求項１】
放送されている番組を受信し、前記番組を映像情報データとして保存する映像情報処理装置と、
前記映像情報処理装置とネットワークを介して接続されており、利用者の要求に従い、前記番組に関する番組録画情報を前記映像情報処理装置に送信する端末装置と、
前記映像情報処理装置とネットワークを介して接続されており、前記映像情報処理装置から前記映像情報データを受信し、前記映像情報データを保存又は再生する映像蓄積再生装置とを備え、
前記映像情報処理装置は、前記端末装置から利用者が要求する前記番組録画情報を受信し、利用者が要求する前記番組の前記映像情報データを前記映像蓄積再生装置に送信することを特徴とする映像記録システム。
【請求項２】
前記映像情報処理装置は、前記番組をチャンネルごとに前記映像情報データとして保存する第１の蓄積装置と、
前記端末を利用する利用者ごとに前記映像情報データを保存する第２の蓄積装置とを備え、
前記映像情報処理装置は、前記端末装置から利用者が要求する前記番組録画情報を受信すると、利用者が要求する前記番組の前記映像情報データを第１の蓄積装置から選択し、当該選択された前記映像情報データを第２の蓄積装置に複製することを特徴とする請求項１記載の映像記録システム。
【請求項３】
前記映像蓄積再生装置は、前記映像情報処理装置から受信した前記映像情報データを、記録媒体に記録する機能を備える請求項１又は請求項２記載の映像記録システム。
【請求項４】
前記端末装置は、放送を受信し表示する機能を備えることを特徴とする請求項１乃至請求項３のいずれかに記載の映像記録システム。
【請求項５】
請求項１乃至請求項４のいずれかに記載の映像記録システムであって、
前記映像情報処理装置とネットワークを介して接続されており、前記映像情報処理装置から前記映像情報データを受信し、記録媒体に記録する映像情報記録装置をさらに備えたことを特徴とする映像記録システム。
【請求項６】
前記映像情報処理装置は、前記端末装置から利用者が要求する前記番組録画情報を受信し、利用者が要求する前記番組の前記映像情報データを記録媒体に記録し、
前記記録媒体は、利用者の指定する場所に送付されることを特徴とする請求項１乃至請求項４のいずれかに記載の映像記録システム。
【請求項７】
前記端末装置から送信される前記番組録画情報は、前記端末装置の利用者を特定する利用者情報を含み、
前記映像情報処理装置は、前記端末装置からの前記利用者情報に基づき利用者が要求する前記番組の前記映像情報データを予め対応づけられた利用者の前記映像蓄積再生装置又は前記映像情報記録装置に送信することを特徴とする請求項１乃至請求項５のいずれかに記載の映像記録システム。
【請求項８】
前記端末装置から送信される前記番組録画情報は、前記映像情報データの送信先を特定する送信先情報を含み、
前記映像情報処理装置は、利用者が要求する前記番組の前記映像情報データを前記送信先情報が指定する前記映像蓄積再生装置又は前記映像情報記録装置に送信することを特徴とする請求項１乃至請求項５のいずれかに記載の映像記録システム。
【請求項９】
前記映像情報処理装置は、利用者が要求する前記番組の前記映像情報データを利用者が指定する時間に前記映像蓄積再生装置又は前記映像情報記録装置に送信することを特徴とする請求項１乃至請求項５のいずれかに記載の映像記録システム。
【請求項１０】
前記映像情報処理装置は、ネットワークの利用状況を監視し、利用者が要求する前記番組の前記映像情報データをネットワークの利用状況がある一定レベル以下になる閑散時に前記映像蓄積再生装置又は前記映像情報記録装置に送信することを特徴とする請求項１乃至請求項５のいずれかに記載の映像記録システム。
【請求項１１】
前記端末装置を備えず、前記映像蓄積再生装置が前記番組に関する番組録画情報を前記映像情報処理装置に送信することを特徴とする請求項１又は請求項２記載の映像記録システム。
【請求項１２】
前記映像蓄積再生装置を備えず、前記端末装置が前記映像情報処理装置から前記映像情報データを受信し、前記映像情報データを保存又は再生することを特徴とする請求項１又は請求項２記載の映像記録システム。
【請求項１３】
放送されている番組を受信し、前記番組を映像情報データとして保存、送信する映像情報処理装置であって、
利用者からの前記番組に関する番組録画情報の受信と、前記映像情報データの送信とを行うインターフェイス部と、
前記番組をチャンネルごとに前記映像情報データとして保存する第１の蓄積装置と、
前記利用者ごとに前記映像情報データを保存する第２の蓄積装置とを備え、
前記インターフェイス部において、前記利用者より前記番組録画情報を受信すると、当該前記番組録画情報で特定される前記番組の前記映像情報データが前記第１の蓄積装置から選択され、選択された当該前記映像情報データが前記第２の蓄積装置に複製されることを特徴とする映像情報処理装置。
【請求項１４】
前記インターフェイス部は、ネットワークを介して前記利用者の端末装置と接続され、前記利用者は前記端末装置から前記番組録画情報を送信することを特徴とする請求項１３に記載の映像情報処理装置。
【請求項１５】
前記インターフェイス部は、前記映像情報データを保存、再生又は記録媒体に記録する映像蓄積再生装置とネットワークを介して接続され、前記第２の蓄積装置に保存された前記映像情報データを前記映像蓄積再生装置に送信することを特徴とする請求項１３又は請求項１４に記載の映像情報処理装置。
【請求項１６】
前記インターフェイス部は、前記映像情報データを記録媒体に記録する映像情報記録装置とネットワークを介して接続され、前記第２の蓄積装置に保存された前記映像情報データを前記映像情報記録装置に送信することを特徴とする請求項１３乃至請求項１５のいずれか１つに記載の映像情報処理装置。
【請求項１７】
前記映像情報処理装置は、前記利用者が要求する前記番組録画情報に基づき、利用者が要求する前記番組の前記映像情報データを記録媒体に記録することを特徴とする請求項１３乃至請求項１６のいずれか１つに記載の映像情報処理装置。
【請求項１８】
前記インターフェイス部は、前記利用者を特定する利用者情報を含む前記番組録画情報を受信し、前記インターフェイス部は、前記利用者情報に基づき要求される前記番組の前記映像情報データを予め対応づけられた前記映像蓄積再生装置又は前記映像情報記録装置に送信することを特徴とする請求項１５又は請求項１６に記載の映像情報処理装置。
【請求項１９】
前記インターフェイス部は、前記映像情報データの送信先を特定する送信先情報を含む前記番組録画情報を受信し、前記インターフェイス部は、前記利用者が要求する前記番組の前記映像情報データを前記送信先情報が指定する前記映像蓄積再生装置又は前記映像情報記録装置に送信することを特徴とする請求項１５又は請求項１６に記載の映像情報処理装置。
【請求項２０】
前記インターフェイス部は、前記利用者が要求する前記番組の前記映像情報データを、前記利用者が指定する時間に前記映像蓄積再生装置又は前記映像情報記録装置に送信することを特徴とする請求項１５、請求項１６、請求項１８又は請求項１９のいずれか１つに記載の映像情報処理装置。
【請求項２１】
ネットワークの利用状況を監視し、当該利用状況がある一定レベル以下になる閑散時に、前記インターフェイス部は、前記利用者が要求する前記番組の前記映像情報データを前記映像蓄積再生装置又は前記映像情報記録装置に送信することを特徴とする請求項１５、請求項１６又は請求項１８乃至請求項２０のいずれか１つに記載の映像情報処理装置。
【請求項２２】
前記インターフェイス部は、前記映像蓄積再生装置から送信された前記番組録画情報を受信することを特徴とする請求項１５に記載の映像情報処理装置。
【請求項２３】
前記インターフェイス部は、前記端末装置で前記映像情報データを保存又は再生できるように、前記第２の蓄積装置に保存された前記映像情報データを前記端末装置に送信することを特徴とする請求項１４に記載の映像情報処理装置。
【手続補正３】
【補正対象書類名】明細書
【補正対象項目名】０００１
【補正方法】変更
【補正の内容】
【０００１】
【発明の属する技術分野】
この発明は、映像記録システム及び映像情報処理装置に係る発明であって、特に、ネットワークを用いた映像記録システム及び映像情報処理装置に関するものである。